(57)【特許請求の範囲】
【請求項１】
ネットワークを介して建設残土利用要求を受信するための手段と、
前記建設残土利用要求に関連する画像データおよび音声データを記録したデータベースと、
建設残土利用要求から要求される建設残土情報を検索するための手段と、
前記検索された建設残土情報を前記ネットワークを通して送信するための手段と、を含み、
前記データベースは、建設残土を管理する建設現場について割り当てられた端末ＩＤを有する携帯端末から、無線ネットワークを含むネットワークを介して、建設残土情報を提供するための前記画像データおよび音声データを電子メールの添付ファイルとして該電子メールを受信することにより該画像データおよび音声データを含む建設残土情報データを取得して、前記携帯端末の現場所在地と端末ＩＤとを対応付けた端末ＩＤテーブルを参照して前記現場所在地を決定し、前記現場所在地に対応付けて前記建設残土情報データに含まれる前記画像データ、前記音声データ、土質区分、供給量、提供者情報、ＵＲＬアドレスを登録し、
前記検索された建設残土情報を前記ネットワークを通して送信するための手段は、前記建設残土利用要求が含む、現場所在地、土質区分、供給量または期間に基づいて前記データベースを検索し、検索結果を前記建設残土利用要求が含む現場所在地からの距離に応じてランク付けし、前記検索された建設残土情報として前記画像データおよび前記音声データのＵＲＬアドレスを送信する、建設残土利用促進システム。
【請求項２】
前記検索された建設残土情報をネットワークを介してコンピュータまたはセルラ電話に提供する、請求項１に記載の建設残土利用促進システム。
【請求項３】
前記携帯端末は、セルラ電話またはモバイル・コンピュータである、請求項１または２に記載の建設残土利用促進システム。
【請求項４】
ネットワークを介して建設残土利用要求を受信するための受信手段と、前記建設残土利用要求に関連する画像データおよび音声データを記録したデータベースと、建設残土利用要求から要求される建設残土情報を検索するための検索手段と、前記検索された建設残土情報を前記ネットワークを通して送信するための送信手段とを含む建設残土利用システムにより実行される建設残土利用促進方法であって、
前記データベースが建設残土を管理する建設現場について割り当てられた端末ＩＤを有する携帯端末から無線ネットワークを含むネットワークを介して建設残土情報を提供するための前記画像データおよび音声データを電子メールの添付ファイルとして該電子メールを受信することにより該画像データおよび音声データを含む建設残土情報データを取得して、前記携帯端末の現場所在地と端末ＩＤとを対応付けた端末ＩＤテーブルを参照して前記現場所在地を決定し、前記現場所在地に対応付けて前記建設残土情報データに含まれる前記画像データ、前記音声データ、土質区分、供給量、提供者情報、ＵＲＬアドレスを登録する段階と、
前記受信手段が前記ネットワークを介して建設残土利用要求を受信する段階と、
前記検索手段が前記建設残土利用要求に関連する画像データおよび音声データが記録されたデータベースから、建設残土利用要求で要求される建設残土情報を、前記建設残土利用要求が含む、現場所在地、土質区分、供給量または期間に基づいて前記データベースを検索する段階と、
前記送信手段が検索結果を前記建設残土利用要求が含む現場所在地からの距離に応じてランク付けし、前記検索された建設残土情報を前記ネットワークを通して送信する段階とを含み、
前記検索された建設残土情報を前記ネットワークを通して送信する段階において、前記送信手段は前記検索された建設残土情報として前記画像データおよび前記音声データのＵＲＬアドレスを送信する、建設残土利用促進方法。
【請求項５】
前記送信手段は、前記検索された建設残土の情報を、前記ネットワークを介してコンピュータまたはセルラ電話に提供する、請求項４に記載の建設残土利用促進方法。
【請求項６】
コンピュータが請求項４または５のいずれか１項に記載の建設残土利用促進方法を実行するためのコンピュータ・プログラムが記録されたコンピュータ可読な記録媒体。
【発明の詳細な説明】
【０００１】
【発明の属する技術分野】
本発明は、建設残土の利用促進に関し、より詳細にはネットワークを介して建設残土の利用を促進させるためのシステム、方法、および該方法を実行させるコンピュータ・プログラムが記録されたコンピュータ可読な記録媒体に関する。
【０００２】
【従来の技術】
種々の建設現場からは、掘削などの施工に応じて建設残土が排出され、この排出量は、建設工事の種類、進捗度合いなどに応じて日々変化するデータである。このため建設残土の再利用を促進するためには、いつ、どこの現場で、どの程度の建設残土が、どのような状態で排出されるのか、を常に把握しておく必要がある。また、一方では、いつ、どこの現場で、どのくらいの量の建設残土の需要が発生するのか、また、いつ、どこの現場に近いユーザが、どの程度の建設残土を要求しているのかを簡便に閲覧して、建設残土を有効利用することへの環境的・経済的な要求がますます高まっている。
【０００３】
従来、建設残土を有効利用するために、いわゆるネットワークを使用した発生土情報交換システムが知られている。しかしながら発生土情報交換システムは、入力項目が非常に多く、またパーソナルコンピュータが必要とされることなど、設備投資面、携行性といった面でユーザに対して負担が多い。また、発生土情報についての情報が数値などの文字データ、数字データのみにより記載されているため、建設残土の性状、例えば土壌の他に、コンクリート、モルタル片が相当量混入しているとか、含水量が多めであるとか、砂利を相当量含むなど、建設残土の状態によっては利用できないユーザも発生する場合もあるために、その有効利用がなかなか困難である、という面がある。
【０００４】
また、建設残土の発生現場において、建設残土の情報を入力するにしてみても、入力項目が多いのでは、建設現場において建設残土の情報を入力する場合を考えれば、建設残土の情報をすべて文字情報で入力するのでは担当者も多忙で、現場担当者が充分な入力を行うことができない場合もある。またコンピュータから入力を行わなければならない場合には、いったん建設残土の置かれている場所から離れて、現場事務所へと戻り、現場事務所といったサイトからインターネットといったネットワークにアクセスしなければならず、建設残土を蓄積しているにもかかわらず、その情報の入力が充分にできないといった場合も多く、その有効利用が行われないことも多い。
【０００５】
【発明が解決しようとする課題】
したがってこれまで、建設残土を保有している建設残土提供者の現場担当者が、現場事務所といった別のサイトへと戻ることなく、現場において容易に建設残土の情報を入力できる建設残土利用促進システム、そのための方法、および記録媒体が必要とされていた。また、文字情報を入力するのではなく、音声データおよび画像データとして建設残土情報を提供することにより、文字入力をできるだけ少なくして現場担当者の入力負担をできるだけ低減することを可能とする、建設残土利用促進システム、そのための方法および記録媒体が必要とされていた。また、これまで、建設残土の利用を促進するべく、ユーザが容易にアクセスできる建設残土利用促進システム、方法、および当該方法を実行させるためのプログラムが記録された記録媒体が必要とされていた。
【０００６】
【課題を解決するための手段】
本発明は上記課題に鑑みてなされたものであり、本発明の請求項１の発明によれば、ネットワークを介して建設残土利用要求を受信するための手段と、前記建設残土利用要求に関連する画像データおよび音声データを記録したデータベースと、建設残土利用要求から要求される建設残土情報を検索するための手段と、前記検索された建設残土情報を前記ネットワークを通して送信するための手段と、を含み、前記データベースは、建設残土を管理する建設現場について割り当てられた端末ＩＤを有する携帯端末から無線ネットワークを含むネットワークを介して建設残土情報を提供するための前記画像データおよび音声データを電子メールの添付ファイルとして取得して、前記携帯端末の現場所在地と端末ＩＤとを対応付けた端末ＩＤテーブルを参照して前記現場所在地を決定し、前記現場所在地に対応付けて前記画像データ、前記音声データ、土質区分、供給量、提供者情報、ＵＲＬアドレスを登録し、
前記検索された建設残土情報を前記ネットワークを通して送信するための手段は、前記建設残土利用要求が含む、現場所在地、土質区分、供給量または期間に基づいて前記データベースを検索し、検索結果を前記建設残土利用要求が含む現場所在地からの距離に応じてランク付けし、前記検索された建設残土情報として前記画像データおよび前記音声データのＵＲＬアドレスを送信する、建設残土利用促進システムが提供される。
【０００７】
本発明の請求項２の発明によれば、前記検索された建設残土情報をネットワークを介してコンピュータまたはセルラ電話に提供する、建設残土利用促進システムが提供される。
【０００８】
本発明の請求項３の発明によれば、前記携帯端末は、セルラ電話またはモバイル・コンピュータである、建設残土利用促進システムが提供される。
【０００９】
本発明の請求項４の発明によれば、建設残土を管理する建設現場について割り当てられた端末ＩＤを有する携帯端末から無線ネットワークを含むネットワークを介して建設残土情報を提供するための前記画像データおよび音声データを電子メールの添付ファイルとして取得して、前記携帯端末の現場所在地と端末ＩＤとを対応付けた端末ＩＤテーブルを参照して前記現場所在地を決定し、前記現場所在地に対応付けて前記画像データ、前記音声データ、土質区分、供給量、提供者情報、ＵＲＬアドレスを登録する段階と、前記ネットワークを介して建設残土利用要求を受信する段階と、前記建設残土利用要求に関連する画像データおよび音声データが記録されたデータベースから、建設残土利用要求で要求される建設残土情報を、前記建設残土利用要求が含む、現場所在地、土質区分、供給量または期間に基づいて前記データベースを検索する段階と、検索結果を前記建設残土利用要求が含む現場所在地からの距離に応じてランク付けし、前記検索された建設残土情報を前記ネットワークを通して送信する段階とを含み、前記検索された建設残土情報を前記ネットワークを通して送信する段階は、前記検索された建設残土情報として前記画像データおよび前記音声データのＵＲＬアドレスを送信する、建設残土利用促進方法が提供される。
【００１０】
本発明の請求項５の発明によれば、前記検索された建設残土の情報は、前記ネットワークを介してコンピュータまたはセルラ電話に提供される建設残土利用促進方法が提供される。
【００１１】
本発明の請求項６の発明によれば、コンピュータが上記のいずれか１項に記載の建設残土利用促進方法を実行するためのコンピュータ・プログラムが記録されたコンピュータ可読な記録媒体が提供される。
【００１８】
【発明の実施の形態】
以下、本発明を図面に示した実施の形態をもって説明するが、本発明は下記実施の形態に限定されるものではない。図１は、本発明の建設残土利用促進システムの第１の実施の形態を示した概略図である。図１に示した本発明の実施の形態においては、建設現場といったサイトから、建設残土の画像データを得るための撮像手段１と、音声データを収集するための録音装置２と、得られた画像データと、音声データとをネットワーク３を通して送信するための携帯端末として用いられるセルラ電話４とを含んで構成されている。
【００１９】
セルラ電話４は、セルラ電話４のキャリアによって提供されるセルラ電話用の無線ネットワークを通してキャリアに設置されているゲートウエイ５へと画像データおよび音声データを、例えば電子メールに対する添付ファイルなどとして送信する。画像データおよび音声データを受信したキャリアに設置されているゲートウエイ５は、電子メールに付された送信先アドレスを判断して、いわゆるインターネットといったネットワーク３を通して建設残土利用促進システムが利用するデータを記憶するデータベースＤＢが含まれたサーバ６へと画像データおよび音声データを送信する。
【００２０】
本発明において用いることができるネットワークとしては、いわゆるインターネットを挙げることができるが、これ以外にも光通信、ＬＡＮ／ＷＡＮといった適切な通信プロトコルを用いる通信により遠隔的に情報を送受信することができるものであれば、いかなるネットワークでも用いることができる。この通信に用いることができる通信プロトコルとしては、例えばＴＣＰ／ＩＰといった通信プロトコルを用いることができるが、これに限定されるわけではない。
【００２１】
本発明において用いることができる撮像手段１としては、ディジタル的に画像を得ることができれば、いかなるものでも用いることができる。具体的には、ディジタル・カメラ、ディジタルビデオカメラ、その他専用の例えばチャージ・カップルド・デバイスなどの撮像素子を用いる手段であって、適切な画像フォーマットとして画像データを送信できるものであればいかなるものでも用いることができる。また、本発明において用いることができる画像データとしては、ネットワーク３を介して送受信できる形式のものであれば、いかなるファイル・フォーマットとされていてもよく、具体的には、ＢＭＰ形式、ＴＩＦ形式、ＰＣＸ形式、ＧＩＦ形式、ＪＰＥＧ形式、メタファイル形式の他、これまで知られているいかなる形式でも用いることができる。
【００２２】
また、本発明において用いることができる録音装置２としては、録音された音声データをディジタル的に記録でき、また、適切なフォーマットにおいてインターネットといったネットワーク３へと送信できる形式に変換することができるものであれば、いかなるものでも用いることができる。この音声データをディジタル変換する場合には、種々の方法を用いることができるが、具体的には、例えば、ＰＣＭ（Pulse Code Modulation）を用いることができる。この際の音声データのフォーマットとしては、ＭＰＥＧ−１、ＭＰＥＧ−２、ＭＰＥＧ−４、ＭＰＥＧ−７などのフォーマットを用いることができるが、本発明においてはこれ以外にもいかなる適切なフォーマットであっても用いることができる。
【００２３】
なお、図１においては、撮像手段１と、録音手段２とは、別体の構成を採用するものとして説明している。しかしながら、本発明においては撮像手段１と、録音手段２とが機能的に一体とされた撮像・録音手段を用いることもできる。例えば、撮像手段１と録音手段２とが一体となった手段として、ディジタル録音機能を有するディジタル・ビデオカメラを挙げることができる。この場合、送信される画像データとしては、連続画像でもよく、また静止画像でもよい。
【００２４】
図１に示した本発明の実施の形態においては、上述の撮像手段１および録音手段２により得られた画像データおよび音声データをセルラ電話４を介していわゆる電子メールへの添付ファイルとしてサーバ６へとネットワーク３を通して送信を行う。セルラ電話４としては、キャリアを介してインターネットへとアクセスすることができるタイプのものであれば、いかなるものでも用いることができる。
【００２５】
本発明において用いることができるゲートウエイ５またはサーバ６は、パーソナルコンピュータ、またはワークステーションから構成することが可能であり、このパーソナルコンピュータまたはワークステーションとしては、ＰＥＮＴＩＵＭ（商標：インテル社）といったＣＰＵまたはこれと互換性のあるＣＰＵまたはＰＯＷＥＲ  ＰＣ（商標：インターナショナル・ビジネス・マシーンズ・コーポレイション）またはこれと互換性のあるＣＰＵを搭載することが可能で、ＷＩＮＤＯＷＳ（商標：マイクロソフト・コーポレイション）、ＷＩＮＤＯＷＳ  ＮＴ（商標：マイクロソフト・コーポレイション）、ＯＳ／２（商標：インターナショナル・ビジネス・マシーンズ・コーポレイション）、ＡＩＸ（商標：インターナショナル・ビジネス・マシーンズ・コーポレイション）、ユニックス、リナックスといったオペレーティング・システムを動作させることが可能なパーソナルコンピュータ、ワークステーションを挙げることができるが、これらのものに限定されるわけではない。
【００２６】
サーバ６には、建設残土の利用を促進させるための画像データ、音声データといった情報が記録されたデータベースＤＢが記憶されていて、建設現場から電子メールなどにより送信される画像データおよび音声データを記憶し、セルラ電話の端末ＩＤから送信された現場所在地Ｌｏ、土質区分Ｄｏ、供給量Ｓｕなどを特定することができるようにされている。
【００２７】
また、図１に示した実施の形態においては、建設残土利用促進システムのユーザは、セルラ電話７からゲートウエイ５を介してネットワーク３へと建設残土情報要求をサーバ６へと要求する構成とされている。この建設残土情報要求を受信したサーバ６は、建設残土情報要求に含まれる所定の情報を読取って、要求に適合する建設残土情報を検索し、検索された建設残土情報をネットワーク３を介してセルラ電話７へと送信する。図１に示した本発明の建設残土利用促進システムによれば、現場において建設残土情報を送信することが著しく簡略化されると共に、建設残土利用促進システムのユーザが容易に建設残土情報にアクセスすることができる。
【００２８】
図２は、本発明の建設残土情報提供システムの第２の実施の形態を示した図である。図２に示した実施の形態においては、建設現場には、撮像手段１と、録音手段２と、撮像手段１により得られる画像データおよび録音手段２により得られる音声データを、ネットワーク３へと送信するための携帯端末８とがネットワーク３へと接続されている。図２に示した実施の形態では、携帯端末８は、モバイル・コンピュータ８ａとされている。本発明においては、図２に示すようにモバイル・コンピュータ８ａからセルラ電話４により無線ネットワークを介してネットワーク３へと通信を行うことが可能とされていて、現場における建設残土情報の送信が容易にされている。
【００２９】
図２に示した実施の形態では、モバイル・コンピュータ８ａが、建設現場において電話回線が利用できない場合には、セルラ電話４を通してセルラ電話用の無線ネットワークを介して、ネットワーク３へと通信できるようにされているのが示されている。しかしながら、本発明において建設現場において電話回線が利用できる場合には、モバイル・コンピュータ８ａは、モデムといった手段により電話回線を通して画像データおよび音声データをネットワーク３を介してサーバ６へと送信することができるようにされていてもよい。
【００３０】
また、図２に示した実施の形態においては、建設残土利用促進システムのユーザは、セルラ電話からではなく、ネットワーク３に接続されたコンピュータ９からサーバ６へとアクセスする。本発明においては、コンピュータ９についても携帯端末とすることができ、この場合には、それぞれのコンピュータ９は、モデムを介してセルラ電話からネットワーク３にアクセスする構成とされていてもよい。本発明におけるコンピュータは、上述したサーバ６と同様のパーソナルコンピュータ、ワークステーションから構成することもできるし、また、適切なモバイル・コンピュータといった手段から、セルラ電話を通してネットワーク３へとアクセスする構成のコンピュータを含むものをいう。
【００３１】
図３は、本発明において用いるサーバ６に含まれる建設残土の利用を促進するために構成されたデータベースＤＢのデータ構造を示した図である。本発明において用いられるデータベースＤＢには、建設残土に関連する情報として、例えば現場所在地と、画像データと、音声データと、土質区分と、供給量といった情報が含まれている。現場所在地は、例えば建設残土を利用しようとする者が運送料などを考慮して、最も運送料の低い建設現場から要求する建設残土の提供を受けることを可能とするために用いられる。本発明において用いられるデータベースＤＢは、さらに建設現場において得られ、送信された画像データおよび音声データが現場所在地に関連したレコードを形成している。図３に示されたデータベースＤＢは、画像データ、音声データにより提供される情報以外に土質区分、供給量にもとづいて要求される建設残土情報を検索することを可能とするように、現場所在地に対応してそれぞれの情報がレコードを形成している。
【００３２】
さらに、図３に示されるように本発明のサーバ６に含まれるデータベースＤＢには、建設現場ごとに異なることもある情報提供者の情報が含まれている。この情報としては、建設残土の提供者の名称、インターネットでのアクセスを容易にするためのＵＲＬアドレス、建設残土の提供者における電話番号、電子メール・アドレスなどが現場所在地に対応したレコードとして記録されている。本発明の建設残土利用促進システムは、所定の建設残土提供者が自社において発生した建設残土の有効利用を行うために、自社の建設現場から送信された建設残土情報を記録するようにされていてもよい。また、本発明の建設残土利用促進システムにおいては、あらかじめ建設残土提供者を登録しておき、登録された建設残土提供者と、建設残土を必要とする建設残土利用者との間の仲介を行うためにも用いることができる。
【００３３】
図４は、データベースＤＢに含まれる端末ＩＤテーブルを示した図である。本発明の図１に示した実施の形態においては、建設現場からセルラ電話４を携帯端末８として用いる場合に端末ＩＤから現場所在地を自動的に特定することができるようにされている。このため、本発明の建設残土利用促進システムにおいては、建設現場ごとに設置されるセルラ電話４またはモバイル・コンピュータ８ａといった携帯端末８ごとに、セルラ電話４の場合には、例えばセルラ電話４に固有の電話番号を端末ＩＤとして付与しておくことができる。また、モバイル・コンピュータ８ａを携帯端末８として用いる場合には、モバイル・コンピュータ８ａのメール・アドレスを端末ＩＤとして用いることができる。
【００３４】
これらの端末ＩＤは、各建設現場について割当てられており、さらには建設現場から送信される建設残土情報データに含まれている。このサーバ６は、建設残土情報データを受信すると、建設残土情報データに含まれる端末ＩＤを読取って、あらかじめ携帯端末８が配置されている現場所在地を特定し、図３に示されたデータベースＤＢに送信された建設残土情報データに含まれる画像データ、音声データ、供給量、土質区分といった情報を記録する。
【００３５】
図５は、本発明の建設残土利用促進システムにおいて用いる、撮像手段１と、録音手段２と、携帯端末８との概略の構成を示した構成図である。図５に示した実施の形態においては、撮像手段１として、ビデオカメラ１ａが使用されており、録音手段２としてはマイクロホン２ａと、ディジタル録音機２ｂとが用いられている。ビデオカメラ１ａにより撮影された画像データは、モバイル・コンピュータ８ａから構成された携帯端末へと送信されて、モバイル・コンピュータ８ａに含まれるメモリに記憶される。また、マイクロホン２ａにより集音された音声データは、ディジタル録音機２ｂにより記録され、適切なファイル・フォーマットとされた後、モバイル・コンピュータ８ａへと送信され、モバイル・コンピュータ８ａに含まれるメモリへと記憶される。
【００３６】
モバイル・コンピュータ８ａには、通信手段１０が接続、または含まれて構成されている。撮像手段１ａおよび録音手段２ｂから送信された画像データおよび音声データは、サーバ６の所定のアドレスに宛てて送信される電子メールへの添付ファイルなどとされ、ネットワーク３へと通信手段１０により送信される。図５に示すように、本発明においては、通信手段１０としてはモデムを介して図示しないセルラ電話４へと信号を送信し、セルラ電話４の無線ネットワークを介してネットワーク３へと信号を送信させるように構成することができる。また、本発明においては、建設現場において電話回線が用いることができれば、通信手段１０として、電話回線へと直接通信を行うことが可能なモデムを用いることも可能である。
【００３７】
また、本発明の通信手段として用いられるセルラ電話４に充分なメモリおよび電子メール・ソフトウエアが含まれている場合には、ビデオカメラ１ａおよび録音手段２からの画像データおよび音声データを、セルラ電話４が直接受信してメモリに記憶させ、ついでセルラ電話４から電子メールをサーバ６宛送信することにより、建設残土情報データをサーバ６へと提供することができる。図６は、本発明の建設残土情報提供システムにおいて、携帯端末８としてセルラ電話４を用いて画像データおよび音声データをセルラ電話４が、セルラ電話用の無線ネットワークを用いて、ネットワーク３へと電子メールを送信している実施の形態を示した図である。
【００３８】
図５および図６に示したように、本発明においては、セルラ電話４を用いて直接、またはモバイル・コンピュータ８ａを介して間接的にセルラ電話４から画像データおよび音声データを含む建設残土情報データをサーバ６に送信することが可能となる。このため建設現場において建設残土が集積されているサイトにおいて電話回線が使用できない状況下であっても、建設現場のスタッフが容易に建設残土情報データを送信することが可能となる。さらに、セルラ電話４が、充分なメモリおよび電子メール・ソフトウエアを含んで構成される図６に示した実施の形態においては、モバイル・コンピュータ８ａも必要とされず、さらに携行性を向上させることが可能となる。
【００３９】
図７は、本発明の建設残土利用促進方法において、建設残土情報データをサーバ６に送信し、データベースＤＢに記録するためのプロセスを示したフローチャートである。図７に示した建設残土情報データの記録ステップは、ステップ１０１から開始し、ステップ１０２において建設現場のスタッフが建設残土の撮影を行う。ついで、ステップ１０３において携帯端末８を通してサーバ６へと画像データを送信する。さらに、ステップ１０４において建設現場のスタッフが建設残土についての情報をディジタル録音し、ステップ１０５において録音された音声データを携帯端末８を通してサーバ６へと送信する。上述したステップ１０３からステップ１０５までのステップは、携帯端末８が充分な記憶容量を有しており、画像データおよび音声データを一括して送信するまで保持しておくことができる場合には、画像データおよび音声データを得た後、ワンステップで一括して送信する送信ステップとして行うこともできる。
【００４０】
さらに、本発明の建設残土利用促進方法は、ステップ１０６へと進み携帯端末８に付された固有の端末ＩＤから建設現場を特定する。この後、ステップ１０７においてデータベースＤＢに建設現場、工事種類の情報と共に、画像データ、音声データ、必要に応じてテキストデータといった情報を記録して、ステップ１０８においてデータベースへの記録を終了する。
【００４１】
また、本発明においてあらかじめ登録されたユーザからの情報をデータベースに記録する場合のプロセスを、図８に示す。図８に示したプロセスにおいては、あらかじめ登録されたユーザであるとの認証を行うための認証プロセスが加えられている。登録されたユーザは、まず、サーバ６が提供するパーソナル・コンピュータ用のウエッブ・ページまたはセルラ電話用に別に用意されたウエッブ・ページへとアクセスする。ついで、ステップ２０２においてあらかじめ付与されたユーザＩＤおよびパスワードを入力する。入力されたユーザＩＤおよびパスワードが認証されなかった場合（ｎｏ）には、データベースＤＢへのアクセスを拒否して、プロセスを終了させる。
【００４２】
ユーザＩＤおよびパスワードが認証された場合（ｙｅｓ）には、ステップ２０３へと進み、建設残土情報データを得、ステップ２０４において携帯端末８を通してサーバ６へと建設残土情報データを送信する。この送信ステップは、図７において説明したように、２段階のステップで行うこともできる。ついで、ステップ２０５において、セルラ電話７の端末ＩＤから建設現場および工事種類の特定を行い。ステップ２０６においてデータベースＤＢに現場所在地、土質区分、供給量といった情報と共に画像データ、音声データを記録してステップ２０７において本発明のプロセスを終了させる。上述したステップ２０２における認証プロセスは、画像データおよび音声データの入力が終了した後に、ユーザがホームページへとアクセスして認証を受けるといったように、本発明においては画像データ、音声データを得た後に行うようにされていてもよい。
【００４３】
図９は、本発明の建設残土利用促進方法のプロセスを、ユーザがコンピュータからアクセスする場合について示した図である。図９に示した本発明の建設残土利用促進方法は、ステップ３０１から開始し、ステップ３０２においてユーザがホームページへとアクセスする。ユーザには、あらかじめユーザＩＤおよびパスワードが与えられていて、ステップ３０３においてユーザの認証が行われる。ユーザが認証されない場合（ｎｏ）には、ステップ３０４においてユーザに認証できないことを通知して、本発明の建設残土利用促進方法を終了させる。ステップ３０３においてユーザが承認された場合（ｙｅｓ）には、ステップ３０５においてユーザは建設残土情報の要求を行う。
【００４４】
サーバ６は、建設残土情報要求を受信して、ステップ３０６においてデータベースＤＢから要求に該当する建設残土情報を検索する。この際の検索方法として、現場所在地にもとづいて検索を行う場合には、ユーザが要求した現場所在地から例えば、１００ｋｍ、３００ｋｍ、５００ｋｍといったランクごとにデータベースＤＢでの検索を行い、当該ランクごとに順位付けして表示することもできる。本発明においては、上述した距離以外でも、いかなる距離でも適宜用いることができる。また、本発明において例えば土質区分を用いて検索を行う場合には、土質区分について現場所在地に関係なく検索を行い、検索された建設残土情報からさらに、現場所在地情報を使用して検索を行って、最終的に現場所在地の近い順にリストすることにより、ユーザに検索結果を提示するようにすることもできる。また、供給量についても、同様な検索方法を採用することができる。また、本発明においては、上述した情報以外に、期間を使用した検索を行うこともでき、これらの検索のために用いる手法としては、いかなる手法でも用いることができる。
【００４５】
ステップ３０７において要求された建設残土が検索されたか否かを判断し、要求された建設残土がデータベースＤＢに記憶されていない場合（ｎｏ）には、ステップ３０８において要求の建設残土が存在しないことをユーザへと通知し、ステップ３０９においてユーザに対して検索費用を課金する。また、要求された建設残土が建設残土データベースに記憶されている場合（ｙｅｓ）には、ステップ３１０において建設残土の情報を、ウエッブ・ページに表示させ、ステップ３１１において供給者情報をウエッブ・ページ上に表示させ、ステップ３０９においてユーザに対して検索費用を課金して、ステップ３１２において本発明の建設残土利用促進方法を終了させる。
【００４６】
上述したステップのうち、建設残土の情報をウエッブ・ページにおいて提供する場合には、画像データを提供するとともに、適切なフォーマットで記録された音声データをユーザの要求によりＰＣＭ音源を用いてユーザに提供することができる。本発明においては、上述したように、建設残土情報データの登録の場合には、課金を行わず、建設残土情報の検索を行う場合に上述したように課金を行うことにすることにより、建設残土の情報の提供をよりスムーズに行わせることを可能とする。
【００４７】
図１０は、本発明の建設残土利用促進方法のプロセスを、セルラ電話７からユーザがアクセスする場合について示した図である。図１０に示したプロセスは、ステップ４０１から開始し、ステップ４０２においてユーザがセルラ電話７からホームページへとアクセスする。ステップ４０３においては、ユーザＩＤおよびパスワードを用いてユーザの認証が行われ、ユーザの認証ができない場合（ｎｏ）には、ステップ４０４においてユーザに認証できないことを通知して、本発明の建設残土利用促進方法を終了させる。ステップ４０３においてユーザの認証が行われた場合（ｙｅｓ）には、ステップ４０５においてユーザに対して建設残土情報要求を入力させる。ステップ４０６において建設残土情報要求を受信したサーバ６は、建設残土データベースから要求に該当する建設残土情報を検索する。
【００４８】
ステップ４０７において要求の建設残土が検索されたか否かを判断し、検索されなかった場合（ｎｏ）には、ステップ４０８において要求の建設残土がデータベースＤＢに記憶されていないことをユーザに通知し、ステップ４０９においてユーザに対して検索費用を課金して、本発明の建設残土利用促進方法を終了させる。また、本発明においては要求に該当する建設残土が登録された場合に、ユーザに対して連絡を行うステップを加えることもできる。
【００４９】
要求の建設残土が検索された場合（ｙｅｓ）には、ステップ４１０において検索された建設残土の情報をセルラ電話７に送信し、供給者情報を担当者のセルラ電話番号、または供給者のＵＲＬアドレスを表示させて供給者とのコンタクトを容易にする。その後、ステップ４１１において、ユーザに課金を行い、ステップ４１２において本発明の建設残土利用促進方法を終了させる。上述したステップのうち、建設残土の情報をユーザのセルラ電話７に提供する場合には、画像データを適切なフォーマットおよび解像度により送信すると共に、ユーザの要求により例えばボイス・プロセッシング・システムにより、適切なフォーマットで記録された音声データをユーザのセルラ電話７へと送信することができる。
【００５０】
図１１は、本発明の建設残土利用促進システムが、コンピュータ９のディスプレイ上に表示する、ディスプレイ画面を示した図である。図１１に示したディスプレイにおいては、本発明の建設残土利用促進システムの概要と、サービス内容の紹介が記載されている。この画面においては、さらにアクセスしてきたユーザに対してユーザ登録を促すため、ユーザ登録を行うか否かを選択させるアクティブ・ボタンが設けられているのが示されている。ユーザがユーザ登録を希望する場合には、「はい」のボタンをクリックして、ユーザ登録を行う。また、すでにユーザ登録を済ませたユーザは、「次へ」のアクティブ・ボタンをクリックすることにより次の段階へと進むことができる。
【００５１】
図１２は、図１１に画面において、「次へ」のボタンをクリックしたユーザに提示される画面表示を示した図である。図１２に示した画面では、ユーザに対してユーザＩＤおよびパスワードの入力を要求し、認証のために用いるデータを入力させる。ユーザＩＤおよびパスワードの入力が終了したユーザは、「次へ」のアクティブ・ボタンをクリックして、建設残土情報要求を入力する画面へと進行する。
【００５２】
図１３は、本発明の建設残土利用システムにおいてユーザ認証が正常に行われたユーザに対して表示される建設残土情報要求を入力する画面を示した図である。図１３に示した入力画面においては、ユーザに対して、土質区分、供給量、現場所在地、建設残土が必要となる期間、およびその他建設残土に関連する情報を入力するためのフィールドが設けられている。ユーザは、図１３に示された各フィールドに所望する建設残土の情報を入力する。ユーザは、必要な入力項目に入力を行った後、適宜訂正などを行い、入力が終了した場合には「はい」のアクティブ・ボタンをクリックすることにより、各フィールドに書き込まれた建設残土情報要求がサーバ６に送信されることになる。
【００５３】
図１４は、図１３に示した建設残土情報要求を受信したサーバ６が、現場所在地、土質性状などにもとづいて検索を行った結果得られた建設残土情報を、リストアップした画面を示した図である。図１４に示した画面においては、建設残土情報は、ユーザの要求した現場所在地に対し、登録されている建設残土情報における現場所在地の近い順からリストアップされていて、ユーザが負担する輸送コストを引き下げることを可能としている。また、本発明においては、この他にも目的に応じて土質性状、期間、建設残土量といったデータにもとづいて検索を行うことができる。また、本発明においては、上述した情報をいかなるように組み合わせて検索を行うことも可能である。
【００５４】
図１４には、さらに、ユーザに対して、検索された建設残土の画像データを提供するために、建設残土の画像データのファイルを特定したリンク先アドレスおよび音声メモとして音声データを提供するため、音声データのファイルを特定したリンク先アドレスが表示されているのが示されている。また、上述した画像データおよび音声データにより建設残土の情報を得たユーザが、さらにリストされた建設残土についての詳細な情報を得たい場合には、「詳細情報要求」ボタンをクリックすることにより、供給者情報といったさらに詳細な情報が表示されるようにされている。
【００５５】
図１５は、本発明において、例えば図１４の「１」にリストされた建設残土の情報について、詳細情報を要求したユーザに提示される、詳細情報の実施の形態を示した図である。図１５に示される詳細情報には、建設残土の提供者の名称、ＵＲＬアドレスなどにより示された連絡先、建設残土提供者における担当者に連絡を行うため、例えば電子メール・アドレスなどが表示されている。本発明によればユーザは、例えば、建設残土の提供者のＵＲＬに対して、アクセス手段を変更することなくアクセスすることが可能となり、建設残土の提供の交渉をより効率的に行うことができる。また、担当者に対して直接コンタクトを取りたいと希望する場合には、担当者の電子メール・アドレスをクリックすることにより電子メールとして、建設残土の提供のための交渉を行うことが可能とされていて、交渉経緯をバックログとして残すことができるようにされている。また、図１５には、その回のセッションのために要した料金が表示されていて、ユーザに対して課金が生じたことを認識させる。
【００５６】
図１６は、本発明の建設残土利用促進システムにおいて、ユーザがセルラ電話７からサーバ６へとアクセスした場合に、サーバ６がセルラ電話７の液晶ディスプレイに表示させる表示画面を示した図である。図１６に示される画面表示においても、まず、建設残土利用促進システムの概要を説明する画面が表示されている。ユーザは、建設残土の提供を受けることを希望する場合には、図１６の画面に表示された「戻る／進む」の表示のうち、「進む」を、セルラ電話７のプッシュボタンを操作することにより選択する。
【００５７】
図１７は、セルラ電話の液晶ディスプレイ上に表示される建設残土利用促進システムのメニュー画面を示した図である。セルラ電話７からサーバ６にアクセスしたユーザは、画面に表示されたメニューから、希望するメニューを選択して、建設残土利用促進システムからの建設残土情報を得ることができる。
【００５８】
図１８は、セルラ電話７の液晶ディスプレイ上に表示された建設残土情報要求入力画面を示した図である。図１８に示されるように、建設残土情報要求としては、残土性状、必要量、現場所在地、要求期間、その他の情報といった情報の入力が要求される。図１８に示した実施の形態においては、例えば土質区分としては砂利が要求され、その他、現場所在地、および供給量が入力されているのが示されている。液晶ディスプレイ上において所定の情報の入力を終了したユーザは、画面に下側に示された「戻る／進む」をセルラ電話のブッシュボタンを操作して選択し、さらに次の段階へと進むことができるようにされている。
【００５９】
図１９には、本発明の建設残土利用促進システムにおけるサーバ６が、建設残土情報要求から読取った情報にもとづいて検索を行った結果をリストした画面を示す。検索の結果、図１９に示した実施の形態においては、３件の該当建設残土情報が検索されており、それぞれユーザの要求した現場所在地に近い順に、数値で示されている。ユーザは、セルラ電話のプッシュボタンを操作することにより、リストされた建設残土情報に対する詳細情報を閲覧することができる。
【００６０】
図２０は、例えばユーザが、リストにおいて１番目にリストされた建設残土情報について詳細情報を得るために数字「１」を選択した場合に表示される画面である。表示された詳細情報には、現場所在地、建設残土の量、使用可能期間が、示されている。また、ユーザが希望する場合には、残土画像を確認するためのファイルを特定したリンク先が表示されていて、セルラ電話７のプッシュボタン操作により、ユーザが画像データにアクセスできるようにされている。また、音声メモとして、音声データにアクセスできるように、音声データのファイルへのリンク先が表示されていて、画像データと同様にアクセスできるようにされている。ユーザは必要に応じて残土画像や音声データを参照しながら、建設残土情報を選択する。所望する建設残土情報が見出された場合には、ユーザは、「進む」を選択して、建設残土の提供者へのアクセス情報を提供する。
【００６１】
図２１には、建設残土の提供者の詳細情報が、名称、連絡先、建設残土の提供者のリンク先アドレス、担当者の電話番号が表示されている。ユーザは、必要に応じてＵＲＬにアクセスするか、または担当者に電話することにより、建設残土の提供に対する交渉を行うことができるようにされている。また、図２１には、そのセッションに要した料金が表示されていて、ユーザに課金が発生したことを認識させるようにされている。
【００６２】
これまで、本発明を図面に示した実施の形態をもって詳細に説明してきたが、本発明は、図面に示した実施の形態に限定されるものではない。また、本発明の建設残土利用促進方法は、種々のプログラミング言語により記述することができ、例えば、本発明の建設残土利用促進方法を実行させるためのプログラムは、オブジェクト指向のＣ言語によって記述することができる。また、このように記述されたプログラムは、フロッピーディスク、ハードディスク、磁気テープ、ＣＤ−ＲＯＭ、ＤＶＤ、光磁気ディスクといった記録媒体に記録することにより、配布することができる。
【００６３】
【発明の効果】
上述したように本発明によれば、建設残土を保有している建設残土提供者の現場担当者が、現場事務所といった別のサイトへと戻ることなく、現場において容易に建設残土の情報を入力できる建設残土利用促進システム、そのための方法、および記録媒体が提供できる。また、文字情報を入力するのではなく、音声データおよび画像データとして建設残土情報を提供することにより、文字入力をできるだけ少なくすることによって現場担当者の入力負担をできるだけ低減することを可能とする、建設残土利用促進システム、そのための方法、および記録媒体を提供することができる。また、本発明によれば、建設残土の利用を促進するべく、容易にアクセスできる建設残土利用促進システム、方法、および該方法を実行させるためのプログラムが記録された記録媒体を提供することができる。
【図面の簡単な説明】
【図１】本発明の建設残土利用促進システムの第１の実施の形態の概略を示した図。
【図２】本発明の建設残土利用促進システムの第２の実施の形態の概略を示した図。
【図３】本発明の建設残土データベースの構成を示した図。
【図４】本発明の建設残土データベースに含まれる端末ＩＤと、建設現場所在地テーブルを示した図。
【図５】本発明において建設残土の画像データおよび音声データを送信するための実施の形態を示した図。
【図６】本発明において建設残土の画像データおよび音声データを送信するための別の実施の形態を示した図。
【図７】本発明の建設残土利用促進方法において画像データおよび音声データを建設残土データベースに記憶させるプロセスを示した図。
【図８】本発明の建設残土利用促進方法において画像データおよび音声データを建設残土データベースに記憶させるプロセスの別の実施の形態を示した図。
【図９】本発明の建設残土利用促進方法の第１の実施の形態を示した図。
【図１０】本発明の建設残土利用促進方法の第２の実施の形態を示した図。
【図１１】本発明の建設残土利用促進システムにおいてコンピュータのディスプレイに表示される画面表示を示した図。
【図１２】本発明の建設残土利用促進システムにおいてコンピュータのディスプレイに表示される画面表示を示した図。
【図１３】本発明の建設残土利用促進システムにおいてコンピュータのディスプレイに表示される画面表示を示した図。
【図１４】本発明の建設残土利用促進システムにおいてコンピュータのディスプレイに表示される画面表示を示した図。
【図１５】本発明の建設残土利用促進システムにおいてコンピュータのディスプレイに表示される画面表示を示した図。
【図１６】本発明の建設残土利用促進システムにおいてセルラ電話の液晶ディスプレイに表示される画面表示を示した図。
【図１７】本発明の建設残土利用促進システムにおいてセルラ電話の液晶ディスプレイに表示される画面表示を示した図。
【図１８】本発明の建設残土利用促進システムにおいてセルラ電話の液晶ディスプレイに表示される画面表示を示した図。
【図１９】本発明の建設残土利用促進システムにおいてセルラ電話の液晶ディスプレイに表示される画面表示を示した図。
【図２０】本発明の建設残土利用促進システムにおいてセルラ電話の液晶ディスプレイに表示される画面表示を示した図。
【図２１】本発明の建設残土利用促進システムにおいてセルラ電話の液晶ディスプレイに表示される画面表示を示した図。
【符号の説明】
１…撮像手段
２…録音手段
３…ネットワーク
４…セルラ電話
５…ゲートウエイ
６…サーバ
７…セルラ電話
８…携帯端末
８ａ…モバイル・コンピュータ
９…コンピュータ
１０…通信手段
【図１】
0004530516.tif 000002
【図２】
0004530516.tif 000003
【図３】
0004530516.tif 000004
【図４】
0004530516.tif 000005
【図５】
0004530516.tif 000006
【図６】
0004530516.tif 000007
【図７】
0004530516.tif 000008
【図８】
0004530516.tif 000009
【図９】
0004530516.tif 000010
【図１０】
0004530516.tif 000011
【図１１】
0004530516.tif 000012
【図１２】
0004530516.tif 000013
【図１３】
0004530516.tif 000014
【図１４】
0004530516.tif 000015
【図１５】
0004530516.tif 000016
【図１６】
0004530516.tif 000017
【図１７】
0004530516.tif 000018
【図１８】
0004530516.tif 000019
【図１９】
0004530516.tif 000020
【図２０】
0004530516.tif 000021
【図２１】
0004530516.tif 000022